【手続補正書】
【提出日】平成16年5月21日(2004.5.21)
【手続補正１】
【補正対象書類名】明細書
【補正対象項目名】発明の名称
【補正方法】変更
【補正の内容】
【発明の名称】ホストコンピュータ、ステータス要求方法、及び記憶媒体
【手続補正２】
【補正対象書類名】明細書
【補正対象項目名】特許請求の範囲
【補正方法】変更
【補正の内容】
【特許請求の範囲】
【請求項１】
プリンタがエラー中であるか否かを判別する判別手段と、
前記判別手段によりプリンタがエラー中でないと判別された場合、第１の時間間隔を設定し、前記判別手段により前記プリンタがエラー中であると判別された場合、第１の時間より短い第２の時間間隔を設定する設定手段と、
前記設定手段により設定される第１の時間、または第２の時間間隔で前記プリンタに対してステータス情報の送信の要求を送信する手段とを有することを特徴とするホストコンピュータ。
【請求項２】
前記プリンタからステータス情報を受信する手段と、
前記プリンタのステータスが変化したか否かを判定する判定手段と、
前記判定手段による判定に従って判別手段を更新する手段とを有することを特徴とする請求項１記載のホストコンピュータ。
【請求項３】
前記プリンタより受信したステータス情報に基づき、前記プリンタのステータスを表示する表示手段を有することを特徴とする請求項１記載のホストコンピュータ。
【請求項４】
前記プリンタの状態を判別する手段を有することを特徴とする請求項１記載のホストコンピュータ。
【請求項５】
前記要求手段は、コンパチモードからニブルモードにシフトすることによって実行されることを特徴とする請求項１記載のホストコンピュータ。
【請求項６】
前記要求手段は、コンパチモードからバイトモードにシフトすることによって実行されることを特徴とする請求項１記載のホストコンピュータ。
【請求項７】
プリンタがエラー中であるか否かを判別する判別ステップと、
前記判別ステップによりプリンタがエラー中でないと判別された場合、第１の時間間隔を設定し、前記判別手段により前記プリンタがエラー中であると判別された場合、第１の時間より短い第２の時間間隔を設定する設定ステップと、
前記設定ステップにより設定される第１の時間、または第２の時間間隔で前記プリンタに対してステータス情報の送信の要求を送信するステップとを有することを特徴とするステータス要求方法。
【請求項８】
前記プリンタからステータス情報を受信するステップと、
前記プリンタのステータスが変化したか否かを判定する判定ステップと、
前記判定ステップによる判定に従って判別ステップを更新するステップとを有することを特徴とする請求項７記載のステータス要求方法。
【請求項９】
前記プリンタより受信したステータス情報に基づき、前記プリンタのステータスを表示する表示ステップを有することを特徴とする請求項７記載のステータス要求方法。
【請求項１０】
前記プリンタの状態を判別するステップを有することを特徴とする請求項７記載のステータス要求方法。
【請求項１１】
前記要求ステップは、コンパチモードからニブルモードにシフトすることによって実行されることを特徴とする請求項７記載のステータス要求方法。
【請求項１２】
前記要求ステップは、コンパチモードからバイトモードにシフトすることによって実行されることを特徴とする請求項７記載のステータス要求方法。
【請求項１３】
プリンタがエラー中であるか否かを判別する判別ステップと、
前記判別ステップによりプリンタがエラー中でないと判別された場合、第１の時間間隔を設定し、前記判別手段により前記プリンタがエラー中であると判別された場合、第１の時間より短い第２の時間間隔を設定する設定ステップと、
前記設定ステップにより設定される第１の時間、または第２の時間間隔で前記プリンタに対してステータス情報の送信の要求を送信するステップとを有するプログラムを記憶したことを特徴とするコンピュータ読み取り可能な記憶媒体。
【請求項１４】
前記プログラムは、
前記プリンタからステータス情報を受信するステップと、
前記プリンタのステータスが変化したか否かを判定する判定ステップと、
前記判定ステップによる判定に従って判別ステップを更新するステップとを有することを特徴とする請求項１３記載のコンピュータ読み取り可能な記憶媒体。
【請求項１５】
前記プログラムは、
前記プリンタより受信したステータス情報に基づき、前記プリンタのステータスを表示する表示ステップを有することを特徴とする請求項１３記載のコンピュータ読み取り可能な記憶媒体。
【請求項１６】
前記プログラムは、
前記プリンタの状態を判別するステップを有することを特徴とする請求項１３記載のコンピュータ読み取り可能な記憶媒体。
【請求項１７】
前記要求ステップは、コンパチモードからニブルモードにシフトすることによって実行されることを特徴とする請求項１３記載のコンピュータ読み取り可能な記憶媒体。
【請求項１８】
前記要求ステップは、コンパチモードからバイトモードにシフトすることによって実行されることを特徴とする請求項１３記載のコンピュータ読み取り可能な記憶媒体。
【手続補正３】
【補正対象書類名】明細書
【補正対象項目名】００１５
【補正方法】変更
【補正の内容】
【００１５】
【課題を解決するための手段】
上記課題を解決するために本発明のホストコンピュータは、プリンタがエラー中であるか否かを判別する判別手段と、
前記判別手段によりプリンタがエラー中でないと判別された場合、第１の時間間隔を設定し、前記判別手段により前記プリンタがエラー中であると判別された場合、第１の時間より短い第２の時間間隔を設定する設定手段と、
前記設定手段により設定される第１の時間、または第２の時間間隔で前記プリンタに対してステータス情報の送信の要求を送信する手段とを有することを特徴とする。
【手続補正４】
【補正対象書類名】明細書
【補正対象項目名】００１６
【補正方法】変更
【補正の内容】
【００１６】
また、本発明のステータス要求方法は、プリンタがエラー中であるか否かを判別する判別ステップと、
前記判別ステップによりプリンタがエラー中でないと判別された場合、第１の時間間隔を設定し、前記判別手段により前記プリンタがエラー中であると判別された場合、第１の時間より短い第２の時間間隔を設定する設定ステップと、
前記設定ステップにより設定される第１の時間、または第２の時間間隔で前記プリンタに対してステータス情報の送信の要求を送信するステップとを有することを特徴とする。
【手続補正５】
【補正対象書類名】明細書
【補正対象項目名】００１７
【補正方法】変更
【補正の内容】
【００１７】
また、本発明の記憶媒体は、プリンタがエラー中であるか否かを判別する判別ステップと、
前記判別ステップによりプリンタがエラー中でないと判別された場合、第１の時間間隔を設定し、前記判別手段により前記プリンタがエラー中であると判別された場合、第１の時間より短い第２の時間間隔を設定する設定ステップと、
前記設定ステップにより設定される第１の時間、または第２の時間間隔で前記プリンタに対してステータス情報の送信の要求を送信するステップとを有するプログラムを記憶したことを特徴とする。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】